(57)【要約】      （修正有）【課題】オペレータの手間を軽減し熱交換器ユニットの冷却効率の低下を確実に防止することができる建設機械を提供する。【解決手段】建設機械２は、熱交換器ユニット４と、正転時に冷却風を供給する冷却ファン６と、コントローラ３２と、冷却ファン６の正転作動時間をカウントするタイマー３４と、手動操作に応じて冷却ファン６を逆転させる信号をコントローラ３２に出力する逆転信号出力スイッチ３６とを備える。コントローラ３２は、タイマー３４による正転作動時間が第１所定時間に達した場合に冷却ファン６を第２所定時間逆転させると共に冷却ファン６の逆転終了時にタイマー３４をリセットし、かつ、タイマー３４による正転作動時間が第１所定時間に達していない場合でも逆転信号出力スイッチ３６から逆転信号が出力されたときには冷却ファン６を第２所定時間だけ逆転させると共に冷却ファン６の逆転終了時にタイマー３４をリセットする。【選択図】図１
2020084520.tif 000002
【特許請求の範囲】
【請求項１】
複数の熱交換器を有する熱交換器ユニットと、
正転時に前記熱交換器ユニットに対して冷却風を供給する冷却ファンと、
前記冷却ファンの作動を制御するコントローラと、
前記冷却ファンの正転作動時間をカウントするタイマーと、
加えられた手動操作に応じて前記冷却ファンを逆転させるための逆転信号を前記コントローラに出力する逆転信号出力スイッチとを備え、
前記コントローラは、前記タイマーによってカウントされた正転作動時間が第１所定時間に達した場合に前記冷却ファンを第２所定時間だけ逆転させると共に前記冷却ファンの逆転終了時に前記タイマーをリセットし、かつ、前記タイマーによってカウントされた正転作動時間が前記第１所定時間に達していない場合でも前記逆転信号出力スイッチから逆転信号が出力されたときには前記冷却ファンを前記第２所定時間だけ逆転させると共に前記冷却ファンの逆転終了時に前記タイマーをリセットする建設機械。
【請求項２】
さらに、エアコンディショナ用冷媒を圧縮するコンプレッサと、前記コンプレッサによって圧縮された前記冷媒を凝縮するコンデンサとを備え、前記熱交換器ユニットは前記コンデンサを含み、
前記コントローラは前記冷却ファンを逆転させる際に前記コンプレッサの作動を停止させる、請求項１記載の建設機械。
【請求項３】
さらに、前記冷却ファンの正転時における前記熱交換器ユニットの上流側に配置されたフィルタを備える、請求項１または２記載の建設機械。
【発明の詳細な説明】
【技術分野】
【０００１】
本発明は、冷却ファンを逆転させることによって熱交換器ユニットから塵芥を除去可能な建設機械に関する。
【背景技術】
【０００２】
一般的に油圧ショベル等の建設機械のエンジンルームには、各種流体を冷却するための複数の熱交換器を有する熱交換器ユニットと、熱交換器ユニットに対して冷却風を供給する冷却ファンとが設けられている。熱交換器ユニットには、エンジン冷却水を冷却するためのラジエタや、油圧アクチュエータを作動させるための作動油を冷却するオイルクーラ等が含まれる。そして、冷却ファンによって生成された冷却風は、複数の熱交換器のそれぞれを通る各種流体を冷却し、エンジンルーム内を通過してエンジンルーム外に排出される。
【０００３】
建設機械が稼働する作業現場には埃や細かな木屑等の塵芥が多量に浮遊している場合があり、このような作業現場において建設機械が稼働していると、冷却ファンの冷却風によって塵芥が運ばれ、熱交換器ユニットに塵芥が堆積し熱交換器の冷却効率が悪化するおそれがある。そこで、建設機械には、熱交換器ユニットの冷却効率の悪化を防止するため、熱交換器ユニットに堆積した塵芥を冷却ファンの逆転によって吹き飛ばして除去するようになっているものがある。冷却ファンの逆転は、たとえば建設機械のオペレータが手動で逆転スイッチを操作して必要な時間だけ行われ、あるいは建設機械に搭載されたコントローラによって所定時間ごとに行われるようになっている（たとえば特許文献１参照。）。
【先行技術文献】
【特許文献】
【０００４】
【特許文献１】特開２００７−１８２７１０号公報
【発明の概要】
【発明が解決しようとする課題】
【０００５】
しかし、逆転スイッチの操作により冷却ファンの逆転が行われるようになっている場合、定期的に逆転スイッチを操作することはオペレータにとって煩わしいものであり、また、逆転スイッチの操作をオペレータが失念してしまったときには熱交換器ユニットに塵芥が堆積して冷却効率の低下を招くおそれがある。一方、コントローラにより所定時間ごとに冷却ファンの逆転が行われるようになっている場合、比較的塵芥が多い作業現場では、所定時間を経過する前に熱交換器ユニットに塵芥が多量に付着して冷却効率の低下を招くおそれがある。
【０００６】
上記事実に鑑みてなされた本発明の課題は、オペレータの手間を軽減することができると共に熱交換器ユニットの冷却効率の低下を確実に防止することができる建設機械を提供することである。
【課題を解決するための手段】
【０００７】
上記課題を解決するために本発明が提供するのは以下の建設機械である。すなわち、複数の熱交換器を有する熱交換器ユニットと、正転時に前記熱交換器ユニットに対して冷却風を供給する冷却ファンと、前記冷却ファンの作動を制御するコントローラと、前記冷却ファンの正転作動時間をカウントするタイマーと、加えられた手動操作に応じて前記冷却ファンを逆転させるための逆転信号を前記コントローラに出力する逆転信号出力スイッチとを備え、前記コントローラは、前記タイマーによってカウントされた正転作動時間が第１所定時間に達した場合に前記冷却ファンを第２所定時間だけ逆転させると共に前記冷却ファンの逆転終了時に前記タイマーをリセットし、かつ、前記タイマーによってカウントされた正転作動時間が前記第１所定時間に達していない場合でも前記逆転信号出力スイッチから逆転信号が出力されたときには前記冷却ファンを前記第２所定時間だけ逆転させると共に前記冷却ファンの逆転終了時に前記タイマーをリセットする建設機械である。
【０００８】
さらに、エアコンディショナ用冷媒を圧縮するコンプレッサと、前記コンプレッサによって圧縮された前記冷媒を凝縮するコンデンサとを備え、前記熱交換器ユニットは前記コンデンサを含み、前記コントローラは前記冷却ファンを逆転させる際に前記コンプレッサの作動を停止させるのが好ましい。さらに、前記冷却ファンの正転時における前記熱交換器ユニットの上流側に配置されたフィルタを備えるのが好適である。
【発明の効果】
【０００９】
本発明が提供する建設機械においては、タイマーによってカウントされた正転作動時間が第１所定時間に達した場合にコントローラによって冷却ファンが第２所定時間だけ逆転されるので、比較的塵芥の少ない作業現場では、オペレータが逆転信号出力スイッチを操作する必要はなくオペレータの手間を軽減することができると共に、熱交換器ユニットの冷却効率の低下を確実に防止することができる。
【００１０】
また、本発明の建設機械においては、タイマーによってカウントされた正転作動時間が第１所定時間に達していない場合でも逆転信号出力スイッチから逆転信号が出力されたときにはコントローラによって冷却ファンが第２所定時間だけ逆転されるため、比較的塵芥の多い作業現場では、オペレータが適宜のタイミングで逆転信号出力スイッチを操作することにより、熱交換器ユニットの冷却効率の低下を確実に防止することができる。
【００１１】
さらに、本発明の建設機械においては、正転作動時間が第１所定時間に達したことに起因して冷却ファンの逆転が行われた場合だけでなく、オペレータによる逆転信号出力スイッチの操作に起因する冷却ファンの逆転が行われた場合においても、冷却ファンの逆転終了時にコントローラによってタイマーがリセットされることから、冷却ファンの逆転が必要以上に短い間隔で行われることがない。
【図面の簡単な説明】
【００１２】
【図１】本発明に従って構成された建設機械の構成の一部を示すブロック図。
【図２】図１に示すコントローラによって実行される冷却ファンの逆転処理を示すフローチャートの前半部分。
【図３】図１に示すコントローラによって実行される冷却ファンの逆転処理を示すフローチャートの後半部分。
【発明を実施するための形態】
【００１３】
以下、本発明に従って構成された建設機械の実施形態について図面を参照しつつ説明する。
【００１４】
図１を参照して説明すると、全体を符号２で示す建設機械は、複数の熱交換器を有する熱交換器ユニット４と、正転時に熱交換器ユニット４に対して冷却風を供給する冷却ファン６と、冷却ファン６の正転時における熱交換器ユニット４の上流側に配置されたフィルタ８とを備える。
【００１５】
図示の実施形態の熱交換器ユニット４は、油圧ポンプ（図示していない。）を駆動するエンジン１０の冷却水が通るラジエタ１２と、油圧シリンダや油圧モータ等の油圧アクチュエータ（図示していない。）を作動させるための作動油が通るオイルクーラ１４と、過給機（図示していない。）によって圧縮された空気が通るアフタークーラ１６と、エアコンディショナ用冷媒が通るコンデンサ１８と、燃料が通る燃料クーラ２０とを含む。なお、熱交換器ユニット４は、ラジエタ１２等の上記複数の熱交換器をすべて含んでいる必要はなく、上記複数の熱交換器のうちの１個以上でよく、あるいは上記熱交換器以外の熱交換器を含んでいてもよい。また、上記複数の熱交換器は任意に配置され得る。
【００１６】
図１に示すとおり、建設機械２には、エンジン冷却水の温度を検出する冷却水温度センサ２２と、作動油の温度を検出する作動油温度センサ２４と、過給機によって圧縮された後にアフタークーラ１６を通って冷却された圧縮空気の温度を検出する空気温度センサ２６とが設けられている。なお、冷却水温度センサ２２はラジエタ１２の上流側に位置するエンジンサーモスタット（図示していない。）の更に上流側に配置され、作動油温度センサ２４はオイルクーラ１４の下流側に位置する作動油タンク（図示していない。）の更に下流側に配置され、空気温度センサ２６はアフタークーラ１６の下流側に配置され得る。
【００１７】
図示していないが、建設機械２は、オペレータが搭乗するキャブと、キャブ用エアコンディショナを備えており、キャブ用エアコンディショナは、キャブの外部に配置された室外装置と、キャブの内部に配置された室内装置とを含む。室外装置は、冷媒を圧縮するコンプレッサと、このコンプレッサによって圧縮された冷媒を凝縮する上記コンデンサ１８と、コンデンサ１８によって凝縮された冷媒を貯留するレシーバとを有する。一方、室内装置は、レシーバから送られた冷媒を膨張させるエキスパンションバルブと、エキスパンションバルブによって膨張された冷媒を蒸発させるエバポレータとを有する。そして、エアコンディショナは、キャブ内に配置されたエアコンスイッチの操作によって作動または停止するようになっている。
【００１８】
図示の実施形態の冷却ファン６は、図１において点線で示すエンジンルーム２８内において熱交換器ユニット４に隣接して配置されており、電気モータや油圧モータ等の適宜の駆動源３０によって駆動される。そして、冷却ファン６の正転時には、図１において矢印Ｆ１で示す方向に空気流が生成され、熱交換器ユニット４に対して冷却風が供給される。これによって、熱交換器ユニット４の各熱交換器を通る各種流体が冷却され、冷却風はエンジンルーム２８内を通過してエンジンルーム２８外に排出される。また、冷却ファン６の逆転時には図１において矢印Ｆ２で示す方向に空気流が生成される。なお、図示の実施形態では単一の冷却ファン６が設けられているが、冷却ファン６は複数設けられていてもよい。
【００１９】
図１を参照することによって理解されるとおり、フィルタ８は、冷却ファン６の正転時における熱交換器ユニット４の上流側に配置されており、埃や木屑等の塵芥を捕集してラジエタ１２等の熱交換器のフィンに塵芥が堆積するのを防止する。そして、フィルタ８で捕集された塵芥は、冷却ファン６の逆転によってフィルタ８から吹き飛ばされて除去される。このようなフィルタ８が熱交換器ユニット４の上流側に配置されていると、冷却ファン８の逆転では除去されず僅かに残留した塵芥をオペレータが清掃により除去する場合に、熱交換器ユニット４の各熱交換器のフィンを清掃する必要がなく、フィルタ８のみを清掃すればよいので、メンテナンス作業性の向上を図ることができる。ただし、建設機械２にフィルタ８が設けられていることは必須ではなく任意であり、建設機械２にフィルタ８が設けられていない場合には、熱交換器ユニッ４に堆積した塵芥の大部分が冷却ファン６の逆転によって吹き飛ばされて除去される。
【００２０】
さらに、建設機械２は、冷却ファン６の作動を制御するコントローラ３２と、冷却ファン６の正転作動時間をカウントするタイマー３４と、加えられた手動操作に応じて冷却ファン６を逆転させるための逆転信号をコントローラ３２に出力する逆転信号出力スイッチ３６とを備える。
【００２１】
コントローラ３２はコンピュータから構成されている。冷却ファン６の駆動源３０が電気モータである場合には、駆動源３０とコントローラ３２とが電気的に接続され、コントローラ３２は、駆動源３０に対して正転信号または逆転信号を出力することにより冷却ファン６の作動を制御する。また、駆動源３０が油圧モータである場合には、駆動源３０への作動油の供給を制御する電磁制御弁（図示していない。）とコントローラ３２とが電気的に接続され、コントローラ３２は、電磁制御弁に対して正転信号または逆転信号を出力し電磁制御弁の油路を切り換えることにより、駆動源３０を正転または逆転させ、冷却ファン６の作動を制御する。図１に示すとおり、コントローラ３２は、各温度センサ２２、２４、２６に電気的に接続されており、各温度センサ２２、２４、２６が検出した各流体温度が入力されるようになっている。
【００２２】
タイマー３４は、コントローラ３２から駆動源３０または電磁制御弁に対して正転信号を出力している時間をカウントするようになっている。タイマー３４はコントローラ３２に組み込まれていてもよく、あるいはコントローラ３２とは別に建設機械２に装着されていて、コントローラ３２と電気的に接続されていてもよい。
【００２３】
逆転信号出力スイッチ３６は、キャブ内に配置され、コントローラ３２に電気的に接続されている。また、逆転信号出力スイッチ３６の形式は任意であり、たとえばタッチパネル式や押しボタン式、ダイヤル式、シーソー式等が採用され得る。
【００２４】
上述したとおりの建設機械２においては、エンジン１０が始動されると、エンジン冷却水や作動油等の熱交換器ユニット４を通る各種流体の温度が所定値以上である等の作動条件（各種流体の過冷却を防止するための作動条件）を満たしている場合に、コントローラ３２から駆動源３０または電磁制御弁に対して正転信号が出力されて冷却ファン６が正転し、熱交換器ユニット４に冷却風が供給される。
【００２５】
そして、コントローラ３２は、タイマー３４によってカウントされた正転作動時間が第１所定時間（たとえば２０分）に達した場合に、駆動源３０または電磁制御弁に逆転信号を出力して冷却ファン６を第２所定時間（たとえば１分）だけ逆転させると共に冷却ファン６の逆転終了時にタイマー３４をリセットする。第１所定時間および第２所定時間は任意に設定変更可能となっているのが好適である。なお、このようにコントローラ３２によって定期的に冷却ファン６を逆転させるモード（以下「自動モード」という。）を起動または停止にするための自動モードＯＮ・ＯＦＦスイッチ３８がキャブ内に設けられていてもよい。
【００２６】
また、コントローラ３２は、タイマー３４によってカウントされた正転作動時間が第１所定時間に達していない場合でも、キャブ内のオペレータによって逆転信号出力スイッチ３６が操作され、逆転信号出力スイッチ３６から逆転信号が出力されたときには、駆動源３０または電磁制御弁に逆転信号を出力して冷却ファン６を第２所定時間だけ逆転させると共に冷却ファン６の逆転終了時にタイマー３４をリセットするようになっている。
【００２７】
なお、自動モードにおいて冷却ファン６を逆転させるための条件については、正転作動時間が第１所定時間に達したこと以外の条件を加えてもよい。また、逆転信号出力スイッチ３６の操作に起因して冷却ファン６を逆転させるための条件については、逆転信号出力スイッチ３６の操作以外の条件を加えてもよい。
【００２８】
次に、図２および図３を参照して建設機械２のコントローラ３２によって実行される冷却ファン６の逆転処理の例について説明する。
【００２９】
図２に示すとおり、まず、自動モードが起動されているか否かが判定される（ステップＳ１）と共に、逆転信号出力スイッチ３６から逆転信号が出力されたか否かが判定される（ステップＳ１１）。自動モードが起動されており（ステップＳ１の判定がＹｅｓ）、かつ逆転信号出力スイッチ３６から逆転信号が出力されていない（ステップＳ１１の判定がＮｏ）場合、処理はステップＳ２に進行する。一方、ステップＳ１の判定がＹｅｓであるかＮｏであるかに関わらず、ステップＳ１１の判定がＹｅｓの場合、処理はステップＳ１２に進行する。
【００３０】
ステップＳ２に進行した場合について説明すると、ステップＳ２では、タイマー３４によってカウントされた正転作動時間が第１所定時間に達したか否かが判定される。ステップＳ２の判定がＹｅｓの場合、処理はステップＳ３に進行する。一方、ステップＳ２の判定がＮｏの場合、ステップＳ２の判定がＹｅｓとなるまでステップＳ２が繰り返される。
【００３１】
ステップＳ３では、作動油温度センサ２４によって検出された作動油温度が閾値以下であるか否かが判定される。ステップＳ３の判定がＹｅｓの場合、冷却水温度センサ２２によって検出されたエンジン冷却水温度が閾値以下であるか否かが判定され（ステップＳ４）、ステップＳ４の判定がＹｅｓの場合、空気温度センサ２６によって検出された圧縮空気の温度が閾値以下であるか否かが判定される（ステップＳ５）。
【００３２】
そして、ステップＳ５の判定がＹｅｓの場合、コントローラ３２から逆転信号が出力され、冷却ファン６の逆転が開始する（ステップＳ６）。これによって、フィルタ８で捕集された塵芥がフィルタ８から吹き飛ばされて除去される。あるいは、フィルタ８が設けられていない場合には熱交換器ユニット４に堆積した塵芥が熱交換器ユニット４から吹き飛ばされて除去される。
【００３３】
また、ステップＳ６では、冷却ファン６の逆転開始と共に、エアコンディショナのコンプレッサがコントローラ３２によって停止されるのが好ましい。冷却ファン６を逆転させると、エンジン１０の周囲、ラジエタ１２、オイルクーラ１４およびアフタークーラ１６を通過して加熱された空気がコンデンサ１８を通過するため、エアコンディショナ用冷媒が加熱されることとなる。エアコンディショナの稼働中に冷媒が過度に加熱されるとエアコンディショナのシステムに過大な負荷がかかり、エアコンディショナが故障するおそれがある。このため、冷却ファン６を逆転する際にはエアコンディショナを停止させる必要があるが、冷却ファン６の逆転開始前にエアコンディショナを毎回停止させることはオペレータにとって手間であると共に、エアコンディショナの停止操作をオペレータが失念してしまうこともある。したがって、ステップＳ６において、冷却ファン６の逆転開始と共に、エアコンディショナのコンプレッサを停止させ冷媒の流れを停止させることが好ましく、これによってエアコンディショナに過大な負荷がかかるのを防止することができる。
【００３４】
図３を参照して説明すると、ステップＳ６が実行された後、作動油温度が閾値以下であるか否か（ステップＳ７）、エンジン冷却水温度が閾値以下であるか否か（ステップＳ８）、圧縮空気の温度が閾値以下であるか否か（ステップＳ９）のそれぞれが判定される。ステップＳ７からＳ９までの各判定がＹｅｓの場合、冷却ファン６の逆転開始から第２所定時間が経過したか否かが判定される（ステップＳ１０）。そして、第２所定時間が経過するまで冷却ファン６の逆転が継続されると共に、ステップＳ７からＳ９までの各判定が繰り返される。冷却ファン６の逆転開始から第２所定時間が経過すると、冷却ファン６が正転に復帰し、正転作動時間をカウントするタイマー３４がリセットされると共に、図２および図３に示す例では、エアコンディショナのコンプレッサの停止が解除される（ステップＳ２０）。
【００３５】
このような自動モードＯＮの場合において、ステップＳ３からＳ５まで、およびステップＳ７からＳ９までの各判定のいずれかがＮｏのとき、キャブ内のモニタ（図示していない。）にエラーが表示される等の警告がオペレータに対して行われ（ステップＳ２１）、冷却ファン６が逆転しているか否かが判定される（ステップＳ２２）。冷却ファン６が逆転していた場合にはステップＳ２０が実行され、冷却ファン６が逆転していない場合には処理が終了する。
【００３６】
ここから、ステップＳ１１の判定がＹｅｓであり、ステップＳ１２に処理が進行した場合について説明する。ステップＳ１２では、油圧回路がロックされているか否かが判定される。すなわち、ステップＳ１２では、油圧アクチュエータを操作するための操作具（図示していない。）にオペレータから操作が加えられても、油圧シリンダや油圧モータ等の各種油圧アクチュエータが作動しないようになっているか否かが判定される。
【００３７】
ステップＳ１２の判定がＹｅｓの場合、作動油温度が閾値以下であるか否かが判定され（ステップＳ１３）、ステップＳ１３の判定がＹｅｓの場合、エンジン冷却水温度が閾値以下であるか否かが判定される（ステップＳ１４）。なお、図２および図３に示す例では、逆転信号出力スイッチ３６が操作された場合において、ステップＳ１２で油圧回路がロックされていることが冷却ファン６の逆転開始の作動条件となっており、冷却ファン６が逆転する際に油圧アクチュエータが作動することがなくエンジン１０の負荷が比較的小さいことから、圧縮空気温度が閾値以下であるか否かの判定は行われない。
【００３８】
そして、ステップＳ１４の判定がＹｅｓの場合、コントローラ３２から逆転信号が出力され、冷却ファン６の逆転が開始すると共に、エアコンディショナのコンプレッサがコントローラ３２によって停止される。
【００３９】
ステップＳ１５が実行された後、油圧回路がロックされているか否か（ステップＳ１６）、作動油温度が閾値以下であるか否か（ステップＳ１７）、エンジン冷却水温度が閾値以下であるか否か（ステップＳ１８）のそれぞれが判定される。ステップＳ１６からＳ１８までの各判定がＹｅｓの場合、冷却ファン６の逆転開始から第２所定時間が経過したか否かが判定される（ステップＳ１９）。そして、第２所定時間が経過するまで冷却ファン６の逆転が継続されると共に、ステップＳ１６からＳ１８までの各判定が繰り返される。冷却ファン６の逆転開始から第２所定時間が経過すると、冷却ファン６が正転に復帰し、正転作動時間をカウントするタイマー３４がリセットされると共にエアコンディショナのコンプレッサの停止が解除される（ステップＳ２０）。
【００４０】
このような逆転信号出力スイッチ３６が操作された場合において、ステップＳ１２からＳ１４まで、およびステップＳ１６からＳ１８までの各判定のいずれかがＮｏのとき、オペレータに対して警告が行われ（ステップＳ２１）、冷却ファン６が逆転しているか否かが判定される（ステップＳ２２）。冷却ファン６が逆転していた場合にはステップＳ２０が実行され、冷却ファン６が逆転していない場合には処理が終了する。
【００４１】
以上のとおりであり、図示の実施形態では、タイマー３４によってカウントされた正転作動時間が第１所定時間に達した場合にコントローラ３２が冷却ファン６を第２所定時間だけ逆転させるので、比較的塵芥の少ない作業現場では、オペレータが逆転信号出力スイッチ３６を操作する必要はなくオペレータの手間を軽減することができると共に、フィルタ８の目詰まりを抑制して熱交換器ユニット４の冷却効率の低下を確実に防止することができる。
【００４２】
また、図示の実施形態では、タイマー３４によってカウントされた正転作動時間が第１所定時間に達していない場合でも逆転信号出力スイッチ３６から逆転信号が出力されたときにはコントローラ３２が冷却ファン６を第２所定時間だけ逆転させるため、比較的塵芥の多い作業現場では、オペレータが適宜のタイミングで逆転信号出力スイッチ３６を操作することにより、フィルタ８の目詰まりを抑制して熱交換器ユニット４の冷却効率の低下を確実に防止することができる。
【００４３】
さらに、図示の実施形態では、正転作動時間が第１所定時間に達したことに起因して冷却ファン６の逆転が行われた場合だけでなく、オペレータによる逆転信号出力スイッチ３６の操作に起因する冷却ファン６の逆転が行われた場合においても、冷却ファン６の逆転終了時にコントローラ３２がタイマー３４をリセットすることから、冷却ファン６の逆転が必要以上に短い間隔で行われることがない。
【００４４】
なお、上述の冷却ファン６の逆転処理の例では、各種流体温度が閾値以下であることや油圧回路がロックされていることを冷却ファン６の逆転開始および逆転継続の条件として説明したが、これらは任意条件とすることができる。
【符号の説明】
【００４５】
２：建設機械
４：熱交換器ユニット
６：冷却ファン
８：フィルタ
１８：コンデンサ
３２：コントローラ
３４：タイマー
３６：逆転信号出力スイッチ
【図１】
2020084520.tif 000003
【図２】
2020084520.tif 000004
【図３】
2020084520.tif 000005